(57)【要約】【課題】  紙押さえ部材の操作によって綴じ軸の係り合いが不用意に解除されてしまうことのない紙押さえ部材及び綴じ具、ファイルを提供すること。【解決手段】  相互に係り合って閉ループを形成する第１及び第２の綴じ軸１９，２０がベース１８の長手方向二箇所に設けられ、第２の綴じ軸間に紙押さえ部材２２が装着されている。第１の綴じ軸を相互に接近させる方向に力を付与して第２の綴じ軸との係り合いが解除可能とされている。紙押さえ部材は、長手方向に延びるスロット状の通路２５，２６を備え、これら通路は紙押さえ部材を固定位置に保つ位置から固定を解除する位置に移動させたときに、第１及び第２の綴じ軸の係り合いを解除する力を付与しない長さに設けられている。【選択図】          図４
2006044187.tif 000002
【特許請求の範囲】
【請求項１】
ベースに支持された複数の第１の綴じ軸と、これら第１の綴じ軸と相対する位置で前記ベースに支持されるとともに、前記第１の綴じ軸の先端部に係り合って閉ループを形成する複数の第２の綴じ軸とを含み、前記第１の綴じ軸又は第２の綴じ軸を相互に接近する方向に力を付与することで前記係り合いを解除する相対形状を先端部に備えた綴じ具に用いられる紙押さえ部材であって、
前記第１の綴じ軸相互間又は第２の綴じ軸相互間に装着される長さを有して紙葉類を前記ベースとの間に挟み込み可能に設けられ、
前記第１の綴じ軸又は第２の綴じ軸が貫通する通路を前記長さ方向に備え、
前記通路は、前記紙押さえ部材を前記長さ方向に沿う何れか一方に移動させたときに通路を貫通する綴じ軸を締め付けて紙押さえ部材を固定位置に保つ締付部と、何れか他方に移動させたときに前記固定を解除する開放部とを備えているとともに、前記紙押さえ部材を前記固定位置に保つ位置から固定を解除する位置に移動させたときに、前記第１及び第２の綴じ軸の係り合いを解除する力を付与しない長さ若しくは形状に設けられていることを特徴とする紙押さえ部材。
【請求項２】
ベースに支持された複数の第１の綴じ軸と、これら第１の綴じ軸と相対する位置で前記ベースに支持されるとともに、前記第１の綴じ軸の先端部に係り合って閉ループを形成する複数の第２の綴じ軸とを含む綴じ具本体と、
前記第１の綴じ軸相互間又は第２の綴じ軸相互間に装着される長さを有するとともに、紙葉類を前記ベースとの間に挟み込み可能な紙押さえ部材とを備えた綴じ具において、
前記第１の綴じ軸又は第２の綴じ軸は、相互に接近する方向に力を付与することで前記係り合いを解除する相対形状を先端部に備え、
前記紙押さえ部材は、前記第１の綴じ軸又は第２の綴じ軸が貫通する通路を前記長さ方向に備え、
前記通路は、前記紙押さえ部材を前記長さ方向に沿う何れか一方に移動させたときに通路を貫通する綴じ軸を締め付けて紙押さえ部材を固定位置に保つ締付部と、何れか他方に移動させたときに前記固定を解除する開放部とを備えているとともに、前記紙押さえ部材を前記固定位置に保つ位置から固定を解除する位置に移動させたときに、前記第１及び第２の綴じ軸の係り合いを解除する力を付与しない長さ若しくは形状に設けられていることを特徴とする綴じ具。
【請求項３】
所定の表紙体と、
前記表示体に取り付けられるベースに支持された複数の第１の綴じ軸と、これら第１の綴じ軸と相対する位置で前記ベースに支持されるとともに、前記第１の綴じ軸の先端部に係り合って閉ループを形成する複数の第２の綴じ軸とを含む綴じ具本体と、
前記第１の綴じ軸相互間又は第２の綴じ軸相互間に装着される長さを有するとともに、紙葉類を前記表紙体との間に挟み込み可能な紙押さえ部材とを備えたファイルにおいて、
前記第１の綴じ軸又は第２の綴じ軸は、相互に接近する方向に力を付与することで前記係り合いを解除する相対形状を先端部に備え、
前記紙押さえ部材は、前記第１の綴じ軸又は第２の綴じ軸が貫通する通路路を前記長さ方向に備え、
前記通路は、前記紙押さえ部材を前記長さ方向に沿う何れか一方に移動させたときに通路を貫通する綴じ軸を締め付けて紙押さえ部材を固定位置に保つ締付部と、何れか他方に移動させたときに前記固定を解除する開放部とを備えているとともに、前記紙押さえ部材を前記固定位置に保つ位置から固定を解除する位置に移動させたときに、前記第１及び第２の綴じ軸の係り合いを解除する力を付与しない長さ若しくは形状に設けられていることを特徴とするファイル。
【発明の詳細な説明】
【技術分野】
【０００１】
本発明は、紙押さえ部材及び綴じ具、ファイルに係り、更に詳しくは、綴じられた書類がばたつくことを防止する紙押さえ部材及び綴じ具、ファイルに関する
【背景技術】
【０００２】
従来より、リングファイル等に用いられる綴じ具としては、例えば、図７に示されるように、ファイル等の背表紙若しくはこれの近傍に固定される平面視長片状のベース５１と、このベース５１の短寸幅方向一端側において、長手方向二箇所に設けられた第１の綴じ軸５０Ａ、５０Ａと、これら第１の綴じ軸５０Ａ、５０Ａと相対するようにベース５１の他端側に設けられて第１の綴じ軸５０Ａ、５０Ａにそれぞれ係り合う第２の綴じ軸５０Ｂ、５０Ｂとにより構成されたものが知られている。第１及び第２の綴じ軸５０Ａ、５０Ｂが閉ループを形成する際の係り合い構造としては、先端突き合わせによる構造の他、例えば、特許文献１にも示されるように、綴じ軸５０の軸方向と交わる方向に係り合う構造が知られている。すなわち、第１の綴じ軸５０Ａ、５０Ａを跨ぐように手指をかけてこれらを相互に接近させる方向に力を付与することで、第２の綴じ軸５０Ｂ、５０Ｂとの係り合いを解除する構成が存在する。この構成によれば、先端突き合わせタイプの綴じ具に比べて操作力を小さくできる、という利点がある。
【０００３】
ところで、このような綴じ具の場合には、綴じ込まれた書類Ｐが綴じ軸５０の軸方向に沿ってばたついてしまうことがないようにするために、長片状の板部材５２の面内に綴じ軸５０を貫通させることのできるスロット状の通路５３を備えた紙押さえ部材５５を用いる場合がある。この紙押さえ部材５５は、通路５３の幅が紙押さえ部材５５の長手方向に沿って幅狭スロット５３Ａと幅広スロット５３Ｂとを備えており、幅狭スロット５３に第２の綴じ軸５０Ｂが位置するように紙押さえ部材５５を長手方向に沿って移動させたときに、当該紙押さえ部材５５が第２の綴じ軸５０Ｂに固定された位置に保たれて書類Ｐのばたつきを防止することが可能となる。
【０００４】
【特許文献１】特開２００３−２５１９７３号公報
【発明の開示】
【発明が解決しようとする課題】
【０００５】
しかしながら、図８に示されるように、第２の綴じ軸５０Ｂを幅広スロット５３Ｂに位置するように紙押さえ部材５５を図６中上方へ移動させたときに、第２の綴じ軸５０Ｂに各通路５３の図中各下端部５３Ｃ、５３Ｃが同時に強くぶつかってしまうため、その際の衝撃によって、図８中上方に位置する第２の綴じ軸５０Ｂが傾いてしまい、これに対応する第１の綴じ軸５０Ａとの係り合いが解除されてしまう、という不都合を招来する。
【０００６】
［発明の目的］
本発明は、このような不都合に着目して案出されたものであり、その目的は、紙押さえ部材の操作によって綴じ軸の係り合いが不用意に解除されてしまうことのない紙押さえ部材及び綴じ具、ファイルを提供することにある。
【課題を解決するための手段】
【０００７】
前記目的を達成するため、本発明は、ベースに支持された複数の第１の綴じ軸と、これら第１の綴じ軸と相対する位置で前記ベースに支持されるとともに、前記第１の綴じ軸の先端部に係り合って閉ループを形成する複数の第２の綴じ軸とを含み、前記第１の綴じ軸又は第２の綴じ軸は相互に接近する方向に力を付与することで前記係り合いを解除する相対形状を先端部に備えた綴じ具に用いられる紙押さえ部材であって、
前記第１の綴じ軸相互間又は第２の綴じ軸相互間に装着される長さを有して紙葉類を前記ベースとの間に挟み込み可能に設けられ、
前記第１の綴じ軸又は第２の綴じ軸が貫通する通路を前記長さ方向に備え、
前記通路は、前記紙押さえ部材を前記長さ方向に沿う何れか一方に移動させたときに通路を貫通する綴じ軸を締め付けて紙押さえ部材を固定位置に保つ締付部と、何れか他方に移動させたときに前記固定を解除する開放部とを備えているとともに、前記紙押さえ部材を前記固定位置に保つ位置から固定を解除する位置に移動させたときに、前記第１及び第２の綴じ軸の係り合いを解除する力を付与しない長さ若しくは形状に設けられる、という構成を採っている。
【０００８】
また、本発明は、ベースに支持された複数の第１の綴じ軸と、これら第１の綴じ軸と相対する位置で前記ベースに支持されるとともに、前記第１の綴じ軸の先端部に係り合って閉ループを形成する複数の第２の綴じ軸とを含む綴じ具本体と、
前記第１の綴じ軸相互間又は第２の綴じ軸相互間に装着される長さを有するとともに、紙葉類を前記ベースとの間に挟み込み可能な紙押さえ部材とを備えた綴じ具において、
前記第１の綴じ軸又は第２の綴じ軸は、相互に接近する方向に力を付与することで前記係り合いを解除する相対形状を先端部に備え、
前記紙押さえ部材は、前記第１の綴じ軸又は第２の綴じ軸が貫通する通路を前記長さ方向に備え、
前記通路は、前記紙押さえ部材を前記長さ方向に沿う何れか一方に移動させたときに通路を貫通する綴じ軸を締め付けて紙押さえ部材を固定位置に保つ締付部と、何れか他方に移動させたときに前記固定を解除する開放部とを備えているとともに、前記紙押さえ部材を前記固定位置に保つ位置から固定を解除する位置に移動させたときに、前記第１及び第２の綴じ軸の係り合いを解除する力を付与しない長さ若しくは形状に設けられる、という構成を採っている。
【０００９】
更に、本発明は、所定の表紙体と、
前記表示体に取り付けられるベースに支持された複数の第１の綴じ軸と、これら第１の綴じ軸と相対する位置で前記ベースに支持されるとともに、前記第１の綴じ軸の先端部に係り合って閉ループを形成する複数の第２の綴じ軸とを含む綴じ具本体と、
前記第１の綴じ軸相互間又は第２の綴じ軸相互間に装着される長さを有するとともに、紙葉類を前記表紙体との間に挟み込み可能な紙押さえ部材とを備えたファイルにおいて、
前記第１の綴じ軸又は第２の綴じ軸は、相互に接近する方向に力を付与することで前記係り合いを解除する相対形状を先端部に備え、
前記紙押さえ部材は、前記第１の綴じ軸又は第２の綴じ軸が貫通する通路路を前記長さ方向に備え、
前記通路は、前記紙押さえ部材を前記長さ方向に沿う何れか一方に移動させたときに通路を貫通する綴じ軸を締め付けて紙押さえ部材を固定位置に保つ締付部と、何れか他方に移動させたときに前記固定を解除する開放部とを備えているとともに、前記紙押さえ部材を前記固定位置に保つ位置から固定を解除する位置に移動させたときに、前記第１及び第２の綴じ軸の係り合いを解除する力を付与しない長さ若しくは形状に設けられる、という構成を採っている。
【発明の効果】
【００１０】
本発明によれば、各綴じ軸が貫通する締付部と開放部とを備えた通路に関し、第１及び第２の綴じ軸の係り合いが解除される方向に力が作用する側の通路の長さを相対的に長く設定したり、あるいは、第１及び第２の綴じ軸の前記係り合いが解除される方向に力が作用することがないような通路内周形状としておくことで、紙押さえ部材の固定を解除する方向に当該紙押さえ部材を操作しても、各綴じ軸の係り合いが不用意に解除されてしまうような不都合は生じない。また、このような不都合を防止するための構造は、通路の長さ若しくは形状を僅かに変更するだけのものであり、付加的なコストを必要とすることもなく、構成も極めて簡単なものとすることができる。
【発明を実施するための最良の形態】
【００１１】
以下、本発明の好ましい実施形態を図面を参照しながら説明する。
【００１２】
図１には、綴じ具を備えたファイルを開いた状態の要部概略斜視図が示され、図２には、綴じ具を開放した状態の概略斜視図が示されている。これらの図において、ファイル１０は、中間に背表紙１１を介して連なる表表紙１２及び裏表紙１３を備えた表紙体１４と、裏表紙１３の内面側に固定された綴じ具１５とを備えて構成されている。
【００１３】
前記綴じ具１５は、背表紙１１の長手方向に沿って略平行に延びるとともに、裏表紙１３にリベット１７，１７を介して取り付けられたベース１８と、このベース１８の一方の端部すなわち背表紙１３側の端部において、相互に所定間隔をおいて回転可能に支持された二つの第１の綴じ軸１９，１９と、ベース１８の他端部において第１の綴じ軸１９，１９と相対する位置で回転可能に支持されるとともに、第１の綴じ軸１９，１９の各先端部に係り合ってベース１８と共に閉ループを形成する二つの第２の綴じ軸２０，２０とを備えた綴じ具本体２１と、この綴じ具本体２１に装着された紙押さえ部材２２とを備えて構成されている。ここで、綴じ具本体２１を構成する各部材は、ステンレス等の金属材を用いて構成されている一方、紙押さえ部材２２は、樹脂材料による一体成形品により構成されている。
【００１４】
前記第１の綴じ軸１９は、正面視略半円弧状に設けられる一方、第２の綴じ軸２０は、正面視略Ｌ字状に設けられ、各綴じ軸１９，２０の先端部間に設けられた係り合い部２７を介して閉ループとなる閉塞状態が保たれ、その係り合いを解除することによって各綴じ軸１９，２０の先端部間が開放可能に設けられている。係り合い部２７は、図３に示されるように、第１の綴じ軸１９の先端部に形成された外向き鈎状部２８と、第２の綴じ軸２０の先端部に形成されて前記外向き鈎状部２８に係り合い可能な内向き鈎状部２９とにより構成されている。係り合い部２７は、第１の綴じ軸１９，１９の先端部を相互に接近させるように操作力を付与したときに、第１の綴じ軸１９，１９の各先端部が第２の綴じ軸２０，２０に干渉することなく、且つ、第１の綴じ軸１９，１９が、その形状自体を略保った状態で、相互に接近する方向に傾斜可能に設けられ、これにより、第２の綴じ軸２０，２０との係り合いが解除可能とされている。
【００１５】
前記第１及び第２の綴じ軸１９，２０は、ベース１８の内部空間内に配置された図示しない複数の連結板に支持され、これら連結板及び図示しないばねを介して常時は第１及び第２の綴じ軸１９，２０による閉ループが解除される方向に力が付与されるようになっている。なお、本実施形態におけるベース１８の内部空間内構造は、特開２００３−２５１９７３号に記載された構造と実質的に同様の構造となっている。従って、ここでは詳細な説明を省略する。
【００１６】
前記紙押さえ部材２２は、特に限定されるものではないが、第２の綴じ軸２０，２０相互間を結ぶ長さよりも長く、且つ、ベース１８の長さよりも短い平面視略長片状に設けられている。この紙押さえ部材２２は、第２の綴じ軸２０，２０相互間に掛け渡されるようになっており、これにより、紙葉類としての書類Ｐが前記ベース１８若しくは裏表紙１３との間に挟み込み可能とされている。この紙押さえ部材２２は、第２の綴じ軸２０，２０がそれぞれ貫通する通路２５，２６を前記長さ方向に備えて構成されている。各通路２５，２６は、紙押さえ部材２２を図３に示される位置に移動させたときに第２の綴じ軸２０，２０の起立軸部分を径方向外側から締め付けて紙押さえ部材２２を固定位置に保つ締付部としての幅狭スロット２５Ａ、２６Ａと、図３中下方に紙押さえ部材２２を移動させたときに前記固定を解除する開放部としての幅広スロット２５Ｂ、２６Ｂを備えている。ここで、幅狭スロット２５Ａは通路２５の外方端側に位置する一方、幅狭スロット２６Ａは通路２６の内方端側に位置するようになっている。従って、通路２５，２６は、紙押さえ部材２２の図４中仮想中心線Ｃに対して非対称の形状となっている。
【００１７】
前記二つの通路２５，２６のうち、図３中上方に位置する通路２５は、紙押さえ部材２２が前記固定位置に保たれる位置から固定を解除する位置に移動されたとき、すなわち、図４に示されるように、紙押さえ部材２２を上方に移動させたときに、第１及び第２の綴じ軸１９，２０の係り合いを解除する力を付与しないように下方の通路２６の長さよりも長い寸法に設けられている。これを更に詳述すると、図４に示されるように、紙押さえ部材２２の前記仮想中心線Ｃを基準とした各通路２５，２６の外方端との距離Ｌ、Ｌは相互に略等しいが、通路２５の長さＬ２は、通路２６の長さＬ３よりも長さＬ４だけ長くなるように設定されている。従って、通路２６の外方端２６Ｃに第２の綴じ軸２０が接したときでも、通路２５の内方端２５Ｃには第２の綴じ軸２０が接触することはない。
【００１８】
以上の構成において、紙押さえ部材２２で書類Ｐを押さえ付けるときは、図１及び図３に示されるように、第２の綴じ軸２０，２０を通路２５，２６の幅狭スロット２５Ａ、２６Ａに位置するように紙押さえ部材２２を移動させればよい。これにより、第２の綴じ軸２０，２０は、幅狭スロット２５Ａ、２６Ａで径方向外側から締付力を受けて紙押さえ部材２２を固定位置に保ち、書類Ｐの浮き上がり、ばたつきを防止することとなる。
【００１９】
書類Ｐの加除整理を行うとき、あるいは、書類Ｐを第１の綴じ具１９，１９側に移動させるときは、図４に示されるように、紙押さえ部材２２を図３の位置に対して移動させればよい。この移動により、第２の綴じ軸２０，２０が幅広スロット２５Ｂ、２６Ｂ内に位置して前記締付力が解除される。この際、図４中下方に位置する第２の綴じ軸２０に通路２６の外方端２６Ｃが優先的にぶつかって当該第２の綴じ軸２０に外側から内側に向かう力を付与することとなるが、当該第２の綴じ具２０は、内向き鈎状部２９であるため、第１の綴じ具１９に強く食い込むことになり、両者の係り合いが解除されてしまうようなことはない。この一方、上方に位置する第２の綴じ軸２０は、内向き鈎状部２９であるが、当該第２の綴じ軸２０は、前記寸法Ｌ４の存在により、通路２５の内方端２５Ｃにぶつかることがないので、係り合いを解除する方向への力は物理的に加えられないこととなる。従って、この状態で、紙押さえ部材２２は第１及び第２の綴じ軸１９，２０に沿って自由に移動できるようになり、また、第１の綴じ軸１９，１９間に手指を掛けて相互に接近させる方向の外力を付与することで、第２の綴じ軸２０，２０との係合を解除して先端部間を開放させることができる。
【００２０】
従って、このような実施形態によれば、綴じ軸の相互接近動作で閉ループを解除するタイプの綴じ具に紙押さえ部材を適用したときの、不用意なる閉ループ解除を確実に防止することが可能となる。
【００２１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２２】
例えば、前記実施形態では、第２の綴じ軸２０間に紙押さえ部材２２を装着して利用する場合について図示、説明したが、第１の綴じ軸１９間に紙押さえ部材２２を装着して利用することでもよい。この場合、紙押さえ部材２２を固定位置から固定解除位置に移動させて、図４中上方の通路２５の内方端２５Ｃが第１の綴じ軸１９にぶつかったときに、下方の第１の綴じ軸１９に内向きの力が付与されないように前記通路２６の長さ設定を行えばよい。要するに、本発明は、第１及び第２の綴じ軸１９，２０の係り合いを行うための鈎状部の向きに対応して、前記係り合いを解除してしまうような力の付与を規制できるように通路２５，２６の相対長さ寸法を異ならせていればよい。
【００２３】
また、本発明に係る綴じ具は、前記構成を備えた上で、更に、付加的な綴じ軸をベースの長手方向に沿って設け、これに対応した通路を有する紙押さえ部材を用いることも妨げない。この場合の付加的な綴じ軸は、先端突き合わせタイプとすれば、前述した二つの綴じ軸を相互に接近させる操作で全ての綴じ軸の閉ループを解除することができる。
【００２４】
また、本発明は、例えば、図５に示される紙押さえ部材２２を採用することもできる。同図に示される紙押さえ部材２２は、下部側に位置する通路２６の内周に凸部４０を設け、当該凸部に第２の綴じ軸２０が優先的にぶつかるようにするとともに、上部側に位置する第２の綴じ軸２０が通路２５の内方端２５Ｃにぶつかることがないように構成されたものである。
このような変形例によれば、一方の通路（図５中下方の通路２６）に凸部４０を設ける通路形状とすることで、上部側に位置する第１及び第２の綴じ軸１９，２０の意図しない係り合い解除を防止することができる。
【００２５】
また、図６に示されるように、一連のスロット形状をなす連続的な通路４２を形成し、当該通路４２の二箇所領域に、幅狭スロット４２Ａ，４２Ａと、幅広スロット４２Ｂ，４２Ｂを形成することもできる。この際、図６中、下部側の幅広スロット４２Ｂの領域に凸部４５を形成し、当該凸部４５に下部側の第２の綴じ軸２０が優先的にぶつかったときに、上部側の第２の綴じ軸２０が幅広スロット４２Ｂの内方端４２Ｃにぶつからないように形成することで、上部側の第１及び第２の綴じ軸１９，２０の係り合い解除を防止することができる。
なお、単一の通路とする構成は、前記実施形態における通路２５，２６にも勿論適用可能である。
【図面の簡単な説明】
【００２６】
【図１】本実施形態に係るファイルの使用状態を示す概略斜視図。
【図２】前記ファイルの綴じ具を開放した状態を示す概略斜視図。
【図３】紙押さえ部材が固定位置に保たれた状態を示す要部拡大平面図。
【図４】紙押さえ部材が固定位置から開放された状態を示す要部拡大平面図。
【図５】本発明の変形例を示す平面図。
【図６】本発明の更に他の変形例を示す平面図。
【図７】従来の不都合を説明するための図３と同様の要部拡大平面図。
【図８】綴じ軸が不用意に外れる従来の不都合を説明するための要部拡大平面図。
【符号の説明】
【００２７】
１０  ファイル
１４  表紙体
１５  綴じ具
１８  ベース
１９  第１の綴じ軸
２０  第２の綴じ軸
２１  綴じ具本体
２２  紙押さえ部材
２５，４２  通路
４０，４５  凸部
Ｐ  書類
【図１】
2006044187.tif 000003
【図２】
2006044187.tif 000004
【図３】
2006044187.tif 000005
【図４】
2006044187.tif 000006
【図５】
2006044187.tif 000007
【図６】
2006044187.tif 000008
【図７】
2006044187.tif 000009
【図８】
2006044187.tif 000010